(57)【要約】      （修正有）【課題】開封後に閉じた状態の内蓋が現れるように構成しても、開封前後で内蓋の一部に外蓋が残らないようにすることができ、これにより良好な外観とデザインの自由度を高め得るようにした新たな構造の梱包箱を提供する。【解決手段】正面部１、背面部２および一対の側面部３を備えて頂面部４側に開口Ｓ１を形成された箱本体Ａと、背面部２より頂面部４の開口Ｓ１を閉止する位置に折り込まれる内蓋６１と、この内蓋６１の先端より折り込まれて正面部１の内面に沿って差し込まれる差込片６２と、正面部１より内蓋６１の上に重合する位置に折り込まれる外蓋６３と、この外蓋６３の先端より折り込まれて背面部２の外面に貼着される外添設片６４とを有し、外蓋６３と正面部１の間の折り込み線および外蓋６３と外添設片６４の間の折り込み線に沿って外蓋６３を切り除くための破断誘導部７０、７１を設けた【選択図】図１
2014031205.tif 000002
【特許請求の範囲】
【請求項１】
正面部、背面部および一対の側面部を備えて頂面部側に開口を形成された箱本体と、前記背面部より前記頂面部の開口を閉止する位置に折り込まれる内蓋と、この内蓋の先端より折り込まれて正面部の内面に沿って差し込まれる差込片と、前記正面部より前記内蓋の上に重合する位置に折り込まれる外蓋と、この外蓋の先端より折り込まれて前記背面部の外面に貼着される外添設片とを有し、前記外蓋と前記正面部の間の折り込み線および前記外蓋と前記外添設片の間の折り込み線に沿って外蓋を切り除くための破断誘導部を設けたことを特徴とする梱包箱。
【請求項２】
外蓋の内面のほぼ全域にシール部材を貼り付けている請求項１記載の梱包箱。
【請求項３】
破断誘導部の一端側に切り込みを設けることで外蓋を切り起こすための指掛け部を形成している請求項１又は２記載の梱包箱。
【請求項４】
前記差込片の先端における差込方向と交差する方向の両端にアール部を設けるとともに、両アール部の間に中央を先端側に向けて凸とする波形状を付与している請求項１〜３の何れかに記載の梱包箱。
【請求項５】
箱本体の底面部側にも開口を形成され、正面部より前記底面部側の開口を閉止する位置に折り込まれる外蓋と、この外蓋の先端より折り込まれて前記背面部の外面に貼着される外添設片とを有している請求項１〜４の何れかに記載の梱包箱。
【発明の詳細な説明】
【技術分野】
【０００１】
本発明は、ＣＤやＤＶＤ等を梱包する際に好適に利用可能な梱包箱に関するものである。
【背景技術】
【０００２】
一般に、ＣＤやＤＶＤ等の梱包物は、不当な開封を防ぐために、箱をビニールフィルムで覆い、加熱収縮させるシュリンク包装を施しているものが多い。ただ、このシュリンク包装を行うとその分のコストが余計にかかり、検品の手間もかかる上に不良品が多くなる。さらには、ビニールフィルムを収縮させて包装しているので、そのままでは開封しにくい。そのため、はさみやカッター等を使用して破れ目を作ってからフィルムを取除かなければならないので開封するにも手間がかかる。
【０００３】
これに対して、従来より、ミシン目を切り取ることで開封でき、一旦開封したら元に戻せないような梱包箱も開発され、種々の用途に利用されている。このうち、特許文献１の図４、５に示されるように、蓋の先端に折り込み片を設け、この折り込み片の先端を箱の側面に糊付けして箱を閉止し、開封時には折り込み片の糊づけされている部位と糊付けされていない部位の境界付近に設けた２条のミシン目に沿って帯状領域を切除することで、折り込み片を蓋として使用できるようにしたものが知られている。
【０００４】
しかしながら、これだと開封後に折り込み片を再度箱の内部に差し込む必要があるため、直ぐに箱の梱包物を取り出す必要がない場合には無駄な作業が生じることになる。
【０００５】
そこで、同文献の図１〜図３では、ミシン目を切り取って外蓋を開封したときに先端が箱内に差し込まれた状態で内蓋が現れるようにして、無駄な作業が生じないようにしている。特許文献２に示されるものも基本的に同様の構造からなっている。
【先行技術文献】
【特許文献】
【０００６】
【特許文献１】特開平９−３９９４９号公報
【特許文献２】特開２０１２−０８６８９５号公報
【発明の概要】
【発明が解決しようとする課題】
【０００７】
しかしながら、上記何れの特許文献のものも、外蓋を内蓋に重合させて、外蓋の片半部を内蓋に糊付けするとともに、外蓋のうち糊付けをしていない領域の両側にミシン目を設けて、この帯状の部位を切り取ることで開封するようにしている。このため、開封後に外蓋の残り半部の領域が内蓋の上に残って、見栄えが悪いという問題がある。
【０００８】
また、このような構造であると、開封前には外蓋全体が、また開封後には外蓋の半分と内蓋の半分が蓋の外観を構成することになるため、外蓋に印刷を施した場合に、開封後にもその印刷の半分が残ることになり、隣接する内蓋の覆われていない部分のデザインとの整合性が必要になるため、開封前後のデザインが大きく制約を受けるという不具合もある。
【０００９】
特許文献１の図４、５に示されるものも、場所が上蓋であるか側面の折り込みであるかの違いだけで、開封後には折り込みは開口内に差し込まれ、折り込みの一部が側面に残るため、事情は全く同じである。
【００１０】
本発明は、このような課題に有効に善処し、低コストで構成できて使い勝手や見栄えの向上に資する新たな構造の梱包箱を提供することを目的としている。
【課題を解決するための手段】
【００１１】
本発明は、かかる目的を達成するために、次のような手段を講じたものである。
【００１２】
すなわち、本発明の梱包箱は、正面部、背面部および一対の側面部を備えて頂面部側に開口を形成された箱本体と、前記背面部より前記頂面部の開口を閉止する位置に折り込まれる内蓋と、この内蓋の先端より折り込まれて正面部の内面に沿って差し込まれる差込片と、前記正面部より前記内蓋の上に重合する位置に折り込まれる外蓋と、この外蓋の先端より折り込まれて前記背面部の外面に貼着される外添設片とを有し、前記外蓋と前記正面部の間の折り込み線および前記外蓋と前記外添設片の間の折り込み線に沿って外蓋を切り除くための破断誘導部を設けたことを特徴とする。
【００１３】
このように構成すると、破断誘導部に沿って外蓋を切り除くことで、梱包箱が開封されて内蓋が現れ、しかもこの内蓋は且つ差込片を箱本体に差し込まれて開口を安定的に閉止した状態にあるため、直ぐに使用しなければ特段次の操作を行う必要がなく、使用時には差込片を出し入れするだけで繰り返し箱を開閉することができる。しかも、外蓋全体が開口縁に沿って取り除かれるため、外蓋の一部が内蓋上に切り残されるといったことがなく、また切り口が開口の縁部に沿っているため、開封後の見栄えも良好に保つことができる。さらに、外蓋の一部が内蓋の上に切り残されると外蓋のデザインが開封後に内蓋と調和していることが必要になり、デザイン上の制約になるが、本実施形態では内蓋、外蓋それぞれ制約なく別個にデザインを施して開封前後でデザインを同じにすることも切り替えることもできるため、デザインの自由度も有効に高めることができる。なお、シュリンク包装を施す必要がないため、製造コストを削減できるのは言うまでもない。
【００１４】
この場合、容易かつ確実に破断誘導部の部分だけを切り離すためには、外蓋の内面のほぼ全域にシール部材を貼り付けていることが望ましい。
【００１５】
また、外蓋だけを適切に引き剥がすためには、破断誘導部の一端側に切り込みを設けることで外蓋を切り起こすための指掛け部を形成していることが望ましい。
【００１６】
さらに、差込片の抜き差しの便を向上させるためには、前記差込片の先端における差込方向と交差する方向の両端にアール部を設けるとともに、両アール部の間に中央を先端側に向けて凸とする波形状を付与していることが好ましい。
【００１７】
さらにまた、組立作業や完成時の外観、開封後の外観を良好にするためには、箱本体の底面部側にも開口を形成され、正面部より前記底面部側の開口を閉止する位置に折り込まれる外蓋と、この外蓋の先端より折り込まれて前記背面部の外面に貼着される外添設片とを有していることが望ましい。
【発明の効果】
【００１８】
本発明は、以上説明した構成であるから、開封後に閉じた状態の内蓋が現れるように構成しても、開封前後で内蓋の一部に外蓋が残らないようにすることができ、これにより良好な外観とデザインの自由度を高め得ることができる。したがって、ＣＤやＤＶＤ等を梱包する際に過剰包装することなく封止してコストを抑え、商品を保管、運搬するだけでなく売り場で陳列するのにも適し、かつ、購入し開封後も見栄え良く、デザイン展開も容易で、繰り返し使用できる新たな構造の梱包箱を提供することが可能となる。
【図面の簡単な説明】
【００１９】
【図１】本発明の一実施形態に係る梱包箱を一部破砕した状態で示す斜視図。
【図２】同梱包箱の組立途中の状態を示す部分斜視図。
【図３】同梱包箱の組立途中の状態を示す部分斜視図。
【図４】同梱包箱の組み立てに使用する展開ブランクを示す平面図。
【図５】同梱包箱の上蓋を破断誘導部に沿って切り取り開封する工程を示す斜視図。
【図６】同梱包箱の開封後の状態を一部破砕して正面側から見た斜視図。
【図７】同梱包箱の開封後の状態を背面面から見た斜視図。
【図８】同梱包箱の内蓋を開閉する際の様子を示す斜視図
【発明を実施するための形態】
【００２０】
以下、本発明の一実施形態を、図面を参照して説明する。
【００２１】
この実施形態の梱包箱は梱包物としてＤＶＤやＣＤなどの記録媒体を梱包し、運搬、陳列のみならず、開封後も梱包物を収納、保管するために用いられるものである。
【００２２】
先ず、図１及び図２に示すようにこの梱包箱は、正面部１、背面部２および一対の側面部３を備えて頂面部４側及び底面部５側に開口Ｓ１，Ｓ２を形成された箱本体Ａと、前記背面部２より前記頂面部４側の開口Ｓ１を閉止する位置に折り込まれる内蓋６１と、この内蓋６１の先端より折り込まれて正面部１の内側に沿って差し込まれる差込片６２と、前記正面部１より前記内蓋６１の上に重合する位置に折り込まれる外蓋６３と、この外蓋６３の先端より折り込まれて前記背面部１の外側の面に貼着される外添設片６４とを有するとともに、前記正面部１より前記底面部５側の開口Ｓ２を閉止する位置に折り込まれる外蓋６５と、この外蓋６５の先端より折り込まれて前記背面部２の外側の面に貼着される外添設片６６とを具備している。図２等において外蓋６３、６５や添設片６４、６６が外側に折り曲げてあるのは図示および説明の便宜のためであり、実際には正面部１と同じ平面から開口Ｓ１，Ｓ２側に折り込めばよい。
【００２３】
図４は組立前の展開ブランクである。この展開ブランクは、オフセット印刷機に通せる程度の厚みを有する１枚の紙素材（例えば厚み０．５ｍｍ〜０．７ｍｍ程度の板紙）を、抜きと筋押しを同時に処理するトムソン加工により打ち抜き、且つ所要箇所に折り込み線を施して、側片３１、正面部１、側面部３、背面部２、側片３１を一方向に隣接させて形成し、正面部１のうち頂面部４側に近い縁部に外蓋６３と外添設片６４を、底面部５側に近い縁部に外蓋６５と外添設片６６を前記一方向と直交する方向に隣接させて形成するとともに、背面部２のうち頂面部４側に近い縁部に内蓋６１と差込片６２を前記一方向と直交する方向に隣接させて形成し、側面部３ならびに一方の側片３１の頂面部４側および底面部５側にそれぞれ折り片６７、６８を形成している。側片３１、３１同士は重合位置で糊付けされることによって図１及び図２に示すようにもう一方の側面部３を構成し、このとき正面部１、背面部２および一対の側面部３、３によって扁平な収容空間が形成される。この収容空間は頂面部４側の開口Ｓ１および底面部５側の開口Ｓ２を介して解放されている。
【００２４】
そして、図２（ｂ）の状態から折り片６８を開口Ｓ２側に折り曲げて、その上から開口Ｓ２を閉止する位置に外蓋６５を折り込み、更に外添設片６６を裏面部２の外面側に折り込んでその位置に糊付けすることで図１に示す底面部５を構成するとともに、図２（ａ）の状態から折り片６７を開口Ｓ１側に折り曲げて、その上から開口Ｓ１を閉止する位置に内蓋６１を折り込み、その際同時に差込片６２を折り曲げて正面部１の内面に沿って差し込むことで図３に示すように内蓋６１を閉止位置に定着させ、さらに、内蓋６１の上に重合する位置に外蓋６５を対向位置から内蓋６１とは逆向きに折り込み、更に外添設片６４を背面部２の外面側に折り込んでその位置に糊付けすることで図１に示す頂面部４を構成し、以上により開口Ｓ１，Ｓ２を封止して梱包状態を実現するようにしている。梱包物は封止前の適宜の段階で収容空間内に収容される。
【００２５】
そして、この実施形態は、図４等に示すように前記頂面部４側の外蓋６３と前記正面部１の間の折り込み線および前記外蓋６３と前記外添設片６４の間の折り込み線に沿って外蓋６３を切り除くためのミシン目状の破断誘導部７０、７１を設けている。この破断誘導部７０、７１は、トムソン加工時に同時に形成される。
【００２６】
また、破断誘導部７０、７１の幅方向一端側には、所定範囲に亘って図２に拡大して示す切り込み７２が設けてあり、外蓋６３を折り込んだ図１の状態で切り込み７２と切り込み７２の間に外蓋６３を切り起こすための指掛け部７３を形成している。指掛け部７３のコーナーにはアール部が設けてある。
【００２７】
さらに、図２及び図４等に示すように、差込片６２の先端における差込方向と交差する方向の両端にもアール部６２ａを設けるとともに、両アール部６２ａ、６２ａの間の中央部にも先端側に向けて凸となる隆起部６２ｂを設けて全体に波形状を付与している。さらに、差込片６２の端部と内蓋６１の間の折り込み線に近い位置に差込片６２の折り込み動作を円滑にするためのＬ字状の切り込み部６２ｃが設けてある。これらの形状も、上記トムソン加工時に同時に付与されている。
【００２８】
なお、図３に示すように、組立前に、外蓋６３の裏面となる位置に図中斜線で示すようにシール部材８を貼り付けている。このシール部材８の貼り付けは、展開ブランクの状態で行ってもよく、図２に示す外蓋６３の折り込み前に行っても良い。
【００２９】
次に、梱包箱Ａを開封する方法について説明する。図５に示すように上蓋６３の指掛け部７３を摘んで引っ張ると、破断誘導部７０、７１が破断されて外蓋６３が帯状に引き剥がされ、その下から内蓋６１が、先端の差込片６２を正面部１の内面に差し込まれて頂面部４側の開口Ｓ１を閉止した状態で表出する。このとき、図７に示すように外蓋６３に付随していた裏面部２側の外添設片６４は切り離されて背面部２に貼着されたまま残る。図６は外蓋６３を完全に切り除いた状態を示している。
【００３０】
梱包箱から梱包物を出し入れする際は、図８に示すように、差込片６２を箱本体Ａの開口Ｓ１に対して抜き差しするだけで容易に行うことができる。
【００３１】
以上のように、本実施形態の梱包箱は、正面部１、背面部２および一対の側面部３を備えて頂面部４側に開口Ｓ１を形成された箱本体Ａと、背面部２より頂面部４の開口Ｓ１を閉止する位置に折り込まれる内蓋６１と、この内蓋６１の先端より折り込まれて正面部１の内面に沿って差し込まれる差込片６２と、正面部１より内蓋６１の上に重合する位置に折り込まれる外蓋６３と、この外蓋６３の先端より折り込まれて背面部２の外面に貼着される外添設片６４とを有し、外蓋６３と正面部１の間の折り込み線および外蓋６３と外添設片６４の間の折り込み線に沿って外蓋６３を切り除くための破断誘導部７０、７１を設けたものである。
【００３２】
このように構成すると、破断誘導部７０、７１に沿って外蓋６３を切り除くことで、梱包箱が開封されて内蓋６１が現れ、しかもこの内蓋６１は差込片６２を箱本体Ａに差し込まれて開口Ｓ１を安定的に閉止した状態にあるため、直ぐに使用しなければ特段次の操作を行う必要がなく、使用時には差込片６２を出し入れするだけで繰り返し箱を開閉することができる。しかも、外蓋６３全体が開口縁に沿って取り除かれるため、外蓋６３の一部が内蓋６１の上に切り残されるといったことがなく、また切り口が開口Ｓ１の縁部に沿っているため、開封後の見栄えも良好に保つことができる。さらに、外蓋６３の一部が内蓋６１の上に切り残されると外蓋６３のデザインが開封後に内蓋６１と調和している必要があり、デザイン上の制約になるが、本実施形態では内蓋６１、外蓋６３それぞれ制約なく別個にデザインを施して開封前後でデザインを同じにすることも切り替えることもできるため、デザインの自由度も有効に高めることができる。シュリンク包装を施す必要がないため、製造コストを削減できるのは勿論である。したがって、ＣＤやＤＶＤ等を梱包する際に過剰包装することなく封止してコストを抑え、商品を保管、運搬するだけでなく売り場で陳列するのにも適し、かつ、購入し開封後も見栄え良く、デザイン展開も容易で、繰り返し使用できる新たな構造の梱包箱を提供することが可能となる。
【００３３】
また、外蓋６３の内面のほぼ全域にシール部材８を貼り付けているため、容易かつ確実に破断誘導部７０、７１の部分だけを切り離す事ができ、破断誘導部７０、７１以外の部分を破損することを防止することができるため、箱としての美観を有効に保つことができる。
【００３４】
さらに、破断誘導部７０、７１の一端側に切り込み７２を設けることで外蓋６３を切り起こすための指掛け部７３を形成しているため、上蓋６３を切り除く際に、指掛け部７３に指を掛ければ確実に外蓋６３だけを切り起こすことができ、外蓋６３と一緒に内蓋６１が引き剥がされる事態を招くことを有効に防止することができる。
【００３５】
また、差込片６２の先端における差込方向と交差する方向の両端にアール部６２ａ、６２ａを設けるとともに、両アール部６２ａ、６２ａの間に先端側への膨出部６２ｂを設けて中央を先端側に向けて凸とする波形状を付与しているため、内蓋６１全体が差込片６２によって適切な閉止位置に保持され、繰り返し使用する際の内蓋の浮きを防止するとともに、差込片６２も中央の膨出部６２ｂを差し込んでから両端のアール部６２ａを差し込んだり、逆に両端のアール部６２ａを差し込んでから中央の膨出部６２ｂを差し込むなどの操作が可能になり、全体を同時に差し込む場合に比べて差込みを操作を容易にすることができる。差込片６２を引き抜く際にも図示のように差し込みの浅い端部から引き抜けば全体を同時に引き抜く場合に比べて操作は容易となる。
【００３６】
さらにまた、この梱包箱は箱本体Ａの底面部５側にも開口Ｓ２を形成され、正面部１より底面部５側の開口Ｓ２を閉止する位置に折り込まれる外蓋６５と、この外蓋６５の先端より折り込まれて背面部２の外面に貼着される外添設片６６とを有しているため、図７に示す背面部２は、頂面部４側と底面部５側とで同じ見え掛かりとなり、組立時にも頂面部４側と底面部５側とでは内蓋６１と差込片６２の有無の違いだけで外蓋６５と外添設片６４、６６の折り込み手順は同じものになるため、組立作業や完成時の外観、開封後の外観も良好にすることができる。
【００３７】
なお、本明細書において正面、背面という呼び名は便宜的に梱包箱を説明するために用いたものであって、どちらが陳列時、使用時に表側になるかとは別問題である。
【００３８】
また、上記実施形態では扁平な箱状の梱包箱として構成されているが、必ずしも扁平形状である必要はない。
【００３９】
さらに、破断誘導部は破断を容易にする効果があればミシン目以外の形状、構造であっても構わない。
【００４０】
その他、各部の具体的な構成は上述した実施形態のみに限定されるものではなく、本発明の趣旨を逸脱しない範囲で種々変形が可能である。
【符号の説明】
【００４１】
Ａ…箱本体
１…正面部
２…背面部
３…側面部
４…頂面部
８…シール部材
６１…内蓋
６２…差込片
６２ａ…アール部
６３…頂面部側の外蓋
６４…頂面部側の外添設片
６５…底面部側の外蓋
６６…底面部側の外添設片６６
７０、７１…破断誘導部
７２…切り込み
７３…指掛け部
Ｓ１…頂面部側の開口
Ｓ２…底面部側の開口
【図１】
2014031205.tif 000003
【図２】
2014031205.tif 000004
【図３】
2014031205.tif 000005
【図４】
2014031205.tif 000006
【図５】
2014031205.tif 000007
【図６】
2014031205.tif 000008
【図７】
2014031205.tif 000009
【図８】
2014031205.tif 000010